(57)【要約】      （修正有）【課題】変速レバーを機体から分離してコンパクトに格納可能とし、外した変速レバーを紛失することなく容易に着脱可能となる歩行型管理機を提供する。【解決手段】折り畳み可能なハンドルと、ハンドルに沿って突出させた変速レバーとを機体に備えた歩行型管理機において、変速レバー３を下部のレバー基部４と上部のレバー分離部５とに分割し、レバー分離部の下端部５ａ側にはレバー基部の上部に着脱可能とする筒部５ｂを形成すると共に、レバー基部に対する筒部の嵌合範囲を避けた直径方向に対向する位置に枢支孔７、８を設け、レバー基部にはレバー分離部が安定的に嵌合されるに必要な距離を置いて凸部９を設ける。クリップ６はレバー分離部の枢支孔に枢支可能な吊止部６ａ、６ｂとレバー基部の凸部に掛止可能な掛止部６ｇとを備え、クリップの吊止部をレバー分離部の枢支孔に枢着する。【選択図】図４
0003185595.tif 000002
【実用新案登録請求の範囲】
【請求項１】
折り畳み可能なハンドルと、該ハンドルに沿って突出させた変速レバーとを機体に備えた歩行型管理機において、
前記変速レバーを下部のレバー基部と上部のレバー分離部とに分割し、該レバー基部とレバー分離部とを接続するクリップを有し、
前記レバー分離部の下端部側には前記レバー基部の上部に着脱可能とする筒部を形成し、前記レバー基部に対する該筒部の嵌合範囲を避けた同一円周上で直径方向に対向する位置には枢支孔を設け、
前記レバー基部の側面には前記レバー分離部が安定的に該レバー基部に嵌合されるに必要な距離を置いて凸部を設け、
前記クリップには前記レバー分離部の枢支孔に枢支可能な吊止部と前記レバー基部の凸部に掛止可能な掛止部とを備え、該掛止部は前記レバー基部の径より狭く且つ前記鋼線の弾発力に抗して開き前記レバー基部が通過可能となる幅の開拡口を備えると共に前記レバー基部を前記鋼線の弾発力で挟持可能とする第１の輪状体と、前記レバー基部に前記凸部まで貫挿可能とする第２の輪状体とをだるま状に連続して形成して成り。
前記クリップの吊止部を前記レバー分離部の枢支孔に枢着し、前記クリップの第１の輪状体を凸部に掛けて前記レバー基部とレバー分離部とを固定可能とし、前記クリップの第２の輪状体を前記レバー基部に通し且つ凸部に掛けて取り外したレバー分離部を逆さ状態に吊り下げ可能としたことを特徴とする歩行型管理機。
【考案の詳細な説明】
【技術分野】
【０００１】
本考案は、不使用中に機体から長く突出した変速レバーを機体から分離することで全体をコンパクトに収納可能となる農作業用歩行型管理機に関する。
【背景技術】
【０００２】
ロータリ式の耕耘部を備えハンドルを持って操縦する農作業用歩行型管理機は、トラックの荷台等に載せて作業場へ搬入して使用するが、運搬時に機体から長く突出したハンドルを折り畳んで容積の全体を小さくし、狭い荷台にも容易に収納可能となるようにしたハンドル折り畳み式の管理機が提供されている。
そのような管理機を格納する際にはハンドルの折り畳みと同時にハンドルに沿って長く突出した変速レバーについても折り畳んで短くすることで全体をコンパクト化して格納することができる。
【０００３】
例えば下記特許文献１の如き「歩行型耕耘機」では、変速レバーの下部に着脱部を設け、格納時にハンドルと変速レバーの折り畳みを行うことで機体からの突出部分をなくし、耕耘機全体をコンパクト化して狭い空間でも格納することが可能となる。
【先行技術文献】
【特許文献】
【０００４】
【特許文献１】特開２００６−１９１８６６号公報
【考案の概要】
【考案が解決しようとする課題】
【０００５】
しかしながら、上記特許文献１の歩行型耕耘機は、分離した変速レバーを置くべき場所が本来の変速レバーの使用位置からは大きく離れて変速レバーとは直接的には関連のないロータリカバーの上に設けられているため、外した変速レバーをロータリカバーの定位置に置くのを忘れたとしても気が付かないこともある。そしてそのまま変速レバーを紛失してしまうこととなる。
本考案は上記実情に鑑みてなされたもので、変速レバーを該変速レバーの使用位置で格納可能とすることで、取り外した変速レバーを紛失することなく、且つ容易に着脱可能となる歩行型管理機を提供することを目的とする。
【課題を解決するための手段】
【０００６】
上記課題を解決するため、本考案の歩行型管理機は、折り畳み可能なハンドルと、該ハンドルに沿って突出させた変速レバーとを機体に備えた歩行型管理機において、
前記変速レバーを下部のレバー基部と上部のレバー分離部とに分割し、該レバー基部とレバー分離部とを接続するクリップを有する。
前記レバー分離部の下端部側には前記レバー基部の上部に着脱可能とする筒部を形成し、前記レバー基部に対する該筒部の嵌合範囲を避けた同一円周上で直径方向に対向する位置には枢支孔を設ける。
前記レバー基部の側面には前記レバー分離部が安定的に該レバー基部に嵌合されるに必要な距離を置いて凸部を設ける。
前記クリップには前記レバー分離部の枢支孔に枢支可能な吊止部と前記レバー基部の凸部に掛止可能な掛止部とを備え、該掛止部は前記レバー基部の径より狭く且つ前記鋼線の弾発力に抗して開き前記レバー基部が通過可能となる幅の開拡口を備えると共に前記レバー基部を前記鋼線の弾発力で挟持可能とする第１の輪状体と、前記レバー基部に前記凸部まで貫挿可能とする第２の輪状体とをだるま状に連続して形成する。
そして、前記クリップの吊止部を前記レバー分離部の枢支孔に枢着し、前記クリップの第１の輪状体を凸部に掛けて前記レバー基部とレバー分離部とを固定可能とし、前記クリップの第２の輪状体を前記レバー基部に通し且つ凸部に掛けて取り外したレバー分離部を逆さ状態に吊り下げ可能としたことを特徴とする。
【考案の効果】
【０００７】
本考案の歩行型管理機は、長くて嵩張る変速レバーの上部分のレバー分離部を分離でき、レバー分離部を基部から外すことで全体をコンパクト化することができ、不使用中は狭い収納空間であっても全体を格納することが可能となる。
そして、分離したレバー分離部は、使用される予定の変速レバーの基部にクリップで吊り下げられるのでその分離部を紛失してしまう虞がなくなる。
又、そのレバー分離部の着脱作業は、クリップを用い、掛け止めるという単純作業で短時間に且つ極めて容易に行うことが可能となる。
【０００８】
又、前記レバー基部に設けた凸部に前記クリップの第１の輪状体を掛止することで、レバー基部からレバー分離部を抜けないように容易に固定すること可能となり、且つ、前記レバー基部部には、第２の輪状体を貫挿することで、前記レバー基部部に設けた凸部に第２の輪状体が掛かり、レバー分離部を容易に吊り下ることが可能となる。
又、クリップは１本の鋼線で形成することが可能であるので、クリップ自体の構造には相互の接続部分がなく、このため使用寿命を長くすることが可能となり、しかも安価に提供することが可能となる。
【図面の簡単な説明】
【０００９】
【図１】本考案の歩行型管理機の使用状態を示す斜視図である。
【図２】ハンドルを前に倒して折り畳んだ状態示す斜視図である。
【図３】ハンドルを前倒しに折り畳み、レバー基部から外したレバー分離部をレバー基部に吊った状態を示す斜視図である。
【図４】（イ）はレバー基部にレバー分離部を接続した状態を示し、（ロ）クリップを示す各斜視図である。
【図５】レバー分離部をレバー基部から外して逆さに吊り下げた状態を示す斜視図である。
【考案を実施するための形態】
【００１０】
本考案の実施形態を図に基づいて以下説明する。
本考案の歩行型作業機は、図１に示すように、操縦用のハンドル２に沿って機体１から突出させた変速レバー３を備えた農業用歩行型管理機である。
この管理機は耕運作業時には、図１に示すように、操縦用のハンドル２を後方に突出した状態で使用し、不使用時には、図２に示すように、ハンドル２の基部に設けた枢支部２ａで前方に折り畳んで全体をコンパクト化することが可能となる。
なお、図１、図２及び図３中の符号１０は変速レバー３先端に設けたグリップ１０を示し、符号１１は機体１を前後に稼動させる駆動輪、符号１２は爪を回転させて土を耕耘する耕耘ロータリ、符号１３は耕耘ロータリの沈み込み深さを決める耕耘深さ調節輪、符号１４は耕耘ロータリの上面を土が舞い上がらないように覆おうロータリカバーを示している。
【００１１】
前記変速レバー３は、図１、図２及び図３に示すように、変速機に連設させた下部のレバー基部４と、該レバー基部４の上端部４ａにパイプ下部を広径に膨出形成した筒部５ｂを被せて着脱可能に接続した上部のレバー分離部５とに２分割する。
その分割位置は、その上端部４ａが機体２の最上面より下側となる前記変速レバー３の基部寄りの位置とする。
そして、該レバー基部４とレバー分離部５とを接続するクリップ６を備える。
【００１２】
前記レバー分離部５の下端部５ａ側には前記レバー基部４の上部に着脱可能とする筒部５ｂを形成し、前記レバー基部４に対する該筒部５ｂの嵌合範囲を避けた同一円周上で直径方向に対向する位置には枢支孔７、８を設ける。
【００１３】
又、図４示すように、前記レバー分離部５が安定的に該レバー基部４に嵌合されるに必要な距離を置いた該レバー基部４の上端部４ａ寄りに側方に突出させた棒状の凸部９を設ける。その際、該凸部９は前記変速レバー３の周面の両側に対向させて２個設けることもできる。
該凸部９は、金属パイプの前記変速レバー３を内側から加圧して凸状に膨出させて得ることもできるが、ピンやネジ等を固着したものであっても良い。
そして、前記レバー基部４の上端部４ａに前記レバー分離部５の下部に形成した前記筒部５ｂを被着させたとき、該レバー分離部の下端部５ａが前記凸部９に当たって停止し、差し込み位置が決められるようにする。
【００１４】
そして、図４の（イ）に示すように、前記レバー分離部５の枢支孔７、８に枢支可能な吊止部５ａ、５ｂと前記レバー基部４の凸部９に掛止可能な掛止部６ｇとを備えた１本の弾性を有する鋼線を折り曲げて作った前記クリップ６を前記レバー分離部５の枢支孔７、８に枢着する。
該クリップ６は、前記レバー基部４の凸部９に掛止部６ｇが掛止されることで、該レバー基部４の上部とレバー分離部５の下部とが抜けないように強制的に掛け止めて前記レバー基部４とレバー分離部５とが接続可能となる。
【００１５】
前記クリップ６の掛止部６ｇは、図４の（イ）及び（ロ）に示すように、前記レバー基部４の径より狭く且つ前記鋼線の弾発力に抗して開き前記レバー基部４が通過可能となる幅の開拡口６ｆ、６ｆを備えると共に前記レバー基部４を前記鋼線の弾発力で挟持可能とする第１の輪状体６ｄと、前記レバー基部４に前記凸部９まで貫挿可能とする第２の輪状体６ｃとを連続させてだるま状に形成する。
その際、前記吊止部５ａ、５ｂと前記掛止部６ｇとの間は、前記クリップ６の掛止部６ｇの前記開拡口６ｆ、６ｆの両側から略直角に屈曲させ、該屈曲部分からレバー分離部５が通過可能な間隔を有して平行に伸びるアーム部６ｅを形成し、該アーム部６ｅの両先端部を対向させて内向きに屈曲させて吊止部６ａ、６ｂを形成する。
この吊止部６ａ、６ｂは、前記レバー分離部５に設けた枢支孔７、８に回動可能に枢着する。
【００１６】
前記アーム部６ｅの長さは、前記レバー基部４にレバー分離部５の筒部５ｂを嵌合して被着させたとき、該レバー分離部５の下端部５ａが前記凸部９に当たって差し込み位置は決められ、この位置で、前記凸部９の下側に前記第１の輪状体６ｄが嵌められ、その際前記凸部９の下側に当たった前記第１の輪状体６ｄが前記凸部９を上方へ引き付けるように鋼線素材の変形による復元力を働かせることができる長さとする。
このように鋼線の復元力を働かせる理由は、前記レバー基部４とレバー分離部５とを連結したときの相互の振れを前記クリップ６の圧力で防ぎ、接続状態を安定させるためである。
【００１７】
又、その際、前記レバー基部４に第１の輪状体６ｄを開拡口６ｆ、６ｆを押し開いて通過させたとき、クリップ６には鋼線による復元力が働いて、前記レバー基部４を第１の輪状体６ｄが締め付状態で嵌り、接続状態をより安定させる。
【００１８】
そして、本考案の歩行型管理機を使用する場合の手順を説明する。
先ず図５に示すように、吊り下げた前記レバー基部４から前記レバー分離部５を引き上げて、前記クリップ６の第２の輪状体６ｃを前記レバー基部４から上方へ引き抜く。
そして、クリップ６の第１の輪状体６ｄをレバー分離部５から抜き、更に該クリップ６を枢支孔７、８を中心に１８０度以上回転させる。
その状態で前記レバー基部４にレバー分離部５の筒部５ｂを嵌合させる。
次に、前記クリップ６をレバー基部４に対してクリップ６の前記開拡口６ｆ、６ｆを押し付け、更に前記開拡口６ｆ、６ｆを開いて第１の輪状体６ｄを嵌める。
このとき、前記レバー基部４の前記凸部９の下に第１の輪状体６ｄが差し込まれ、レバー分離部５が上に抜けないようロックされる。そして、前記レバー基部４にレバー分離部５が固定され変速レバー３の使用が可能となる。
【００１９】
次に、歩行型管理機の使用が終わり収納・保管する際に前記レバー基部４から前記レバー分離部５を分離させる場合の手順を説明する。
先ず、図４に示すように、前記クリップの第１の輪状体６ｄが前記レバー基部４の凸部９の下に掛かった状態から該第１の輪状体６ｄを第２の輪状体６ｃに指を入れて引き抜く。
この際、前記クリップ６の掛止部６ｇの前記開拡口６ｆ、６ｆの両側から該アーム部６ｅを形成する途中の屈曲部分は、図４の（ロ）に示すように、前記凸部９に当たらないよう一旦外側に屈曲させると良い。
【００２０】
第１の輪状体６ｄがレバー基部４から外されると前記凸部９と第１の輪状体６ｄとのロックが外れるのでそのまま上に引けば前記レバー分離部５がレバー基部４から簡単に抜け、分離される。
【００２１】
そして、前記レバー分離部５のクリップ６を枢支孔７、８を中心に１８０度回転させ、前記クリップ６をレバー分離部５に対してクリップ６の前記開拡口６ｆ、６ｆを押し付け、更に前記開拡口６ｆ、６ｆを開いて第１の輪状体６ｄを嵌める。
そして、前記レバー分離部５を逆さにし、レバー基部４に第２の輪状体６ｃを落とし込むと該第２の輪状体６ｃが前記レバー基部４の前記凸部９の当たって、図５に示すように、前記レバー分離部５がそれより下に抜け落ちないように逆さ状態に吊止される。
【産業上の利用可能性】
【００２２】
本考案は、変速レバーを基部から分離可能としたレバーの分離部を、レバー基部にクリップで吊れるようにしたものであるが、変速レバー以外のものであっても長く突出して格納の障害となるような各種レバーに対しても利用が可能である。
【符号の説明】
【００２３】
１    機体
２    ハンドル
２ａ  枢支部
３    変速レバー
４    レバー基部
４ａ  レバー基部の上端部
５    レバー分離部
５ａ  レバー分離部の下端部
５ｂ  レバー分離部の筒部
６    クリップ
６ａ  吊止部
６ｂ  吊止部
６ｃ  第２の輪状体
６ｄ  第１の輪状体
６ｅ  アーム部
６ｆ  開拡口
６ｇ  掛止部
７    枢支孔
８    枢支孔
９    凸部
１０    グリップ
１１    駆動輪
１２    耕耘ロータリ
１３    耕耘深さ調節輪
１４    ロータリカバー
【図１】
0003185595.tif 000003
【図２】
0003185595.tif 000004
【図３】
0003185595.tif 000005
【図４】
0003185595.tif 000006
【図５】
0003185595.tif 000007